(57)【要約】【課題】  複数の周波数帯に対応ししかも小型のアンテナ装置を提供すること。【解決手段】  本発明は、GND板にスプリットリング共振器を配置して前記スプリットリング共振器によって決まる周波数で動作するアンテナ装置であって、前記アンテナ装置を構成する導体に、前記アンテナ装置の開口部内で第１の追加導体部を接続することを特徴とするアンテナ装置である。【選択図】  図１
2016063239.tif 000002
【特許請求の範囲】
【請求項１】
GND板にスプリットリング共振器を配置して前記スプリットリング共振器によって決まる周波数で動作するアンテナ装置であって、前記アンテナ装置を構成する導体に、前記アンテナ装置の開口部内で第１の追加導体部を接続することを特徴とするアンテナ装置。
【請求項２】
前記アンテナ装置の開口部内の前記第１の追加導体部の導体に接続するように第２の追加導体部を配置する請求項１に記載のアンテナ装置。
【請求項３】
前記アンテナ装置は第１の導体と第２の導体が対向し、前記第１または第２の導体に給電部を設けたものである請求項１または２に記載のアンテナ装置。
【請求項４】
前記第１の追加導体部は、前記アンテナ装置の開口内で、前記第１または第２の導体に接続した第１の追加導体と前記開口の端部に接続した第２の追加導体が対向している請求項１から３のいずれか１項に記載のアンテナ装置。
【請求項５】
前記第２の追加導体は、前記アンテナ装置の開口内で、前記第２の追加導体に接続された第３の追加導体部と、前記開口の端部に接続した第４の追加導体が対向している請求項１から４のいずれか１項に記載のアンテナ装置。
【請求項６】
前記第１の追加導体部および第２追加導体部の少なくとも一方のスプリット部の長さを変えることで動作周波数を調整可能にする請求項１から５のいずれか１項に記載のアンテナ装置。
【請求項７】
前記第１の追加導体部および第２追加導体部の少なくとも一方のスプリット部の間隔を変えることで動作周波数を調整可能にする請求項１から６のいずれか１項に記載のアンテナ装置。
【発明の詳細な説明】
【技術分野】
【０００１】
本発明は、アンテナ装置に関し、特に複数の周波数で動作するアンテナ装置に関する。
【背景技術】
【０００２】
今日の携帯無線機器は複数の無線通信規格に対応することが多く、アンテナも複数の周波数帯に対応する必要がある。一般的に複数の周波数に対応するためにはアンテナは大型化する傾向にある。一方で今日の携帯無線機器の小型化は著しく、アンテナにも小型化が望まれている。したがって、アンテナサイズを大型化することなく複数の周波数で動作するアンテナを実現することで携帯無線機器を大型化することなく複数の周波数帯に対応可能となる。
【０００３】
図１１に既存のアンテナの構成例を示す。本図はスプリットリング共振器を有するアンテナ（SRRアンテナ）の基本形態を示す図である。
【０００４】
図１１はスプリットリング共振器1と、給電部2と、GND板3を有し、スプリット共振器1をGND板3の外周に接するように配置した構成となっている。
【０００５】
図１２は図１１に示したSRRアンテナの基本形態のスプリットリング共振器1を拡大した図である。スプリットリング共振器1は、GND板3の外周に接するように配置された開口部11を有し、給電部2には給電導体12が接続され、給電部2から交流電力が給電される。開口縁と給電導体12に接続するように第1の導体13が配置され、開口縁と接続するように第2の導体14を配置した構成となっている。また第1の導体13と第2の導体14が最も接近する部分に第1の導体13と第2の導体14からそれぞれ伸びた導体が対向するスプリット部15を形成している。
【０００６】
図１３は図１１および図１２で示したSRRアンテナの動作周波数における電流の流れを模式的に表わしたもので、点線の矢印で示しているのが電流である。SRRアンテナの動作周波数は、給電部2と、給電導体12と、第1の導体13の一部と、第2の導体14と、第2の導体14と.開口部11との接続部から給電部2までをつなぐ開口部11の外周で等価的に構成されるコイル部分と、スプリット部15に等価的に構成されるコンデンサ部分とが直列共振回路を構成することで、直列共振回路の共振周波数によって決定される。
【０００７】
図１４に図１１および図１２に示したSRRアンテナのインピーダンス特性を示す。これはスミスチャートを用いて周波数に対するインピーダンスの軌跡を示した図である。インピーダンスの軌跡がスミスチャートの中心に最接近する点がアンテナの動作周波数である。
【０００８】
一方、図１５に図１１および図１２に示したSRRアンテナのリターンロス特性を示す。リターンロスとは図１４に示したインピーダンス特性と全く同じ測定をするもので、単にチャート(図表)が異なるだけである。インピーダンスが50Ωに近ければ近い程小さな値になる様に作られた図表で、図５では周波数1においてインピーダンスが50Ωに近くアンテナの特性が良くなる事を示す。この谷の部分はアンテナの共振と呼ばれる。すなわち谷の部分がアンテナとして動作している周波数を示していることになる。また、アンテナが良好に動作するためには、一般的にアンテナが動作する周波数においてリターンロスが-5dB以下であることが望ましい。図１５からリターンロスが-5dB以下となるような谷の部分は周波数１のみであることが分かる。つまり、このアンテナは図１５で示されている周波数範囲内において周波数１でのみ動作するアンテナである。
【先行技術文献】
【特許文献】
【０００９】
【特許文献１】WO2014/073703
【発明の概要】
【発明が解決しようとする課題】
【００１０】
今日の携帯無線機器は複数の無線通信規格に対応することが多く、アンテナも複数の周波数帯に対応する必要があるが、上記のSRRアンテナの基本形態では複数の周波数帯に対応することは困難である。
【００１１】
上記の問題を解決するために、特許文献１に示されるようなSRRアンテが提案されている。しかしこのSRRアンテナは、複数の周波数帯に対応するために複数のスプリットリング共振器を一つの導体プレーン上に並べて配置する。そのため、アンテナが大型化するという問題がある。
【００１２】
本発明の目的は複数の周波数帯に対応ししかも小型のアンテナ装置を提供することである。
【課題を解決するための手段】
【００１３】
本発明は、GND板にスプリットリング共振器を配置して前記スプリットリング共振器によって決まる周波数で動作するアンテナ装置であって、前記アンテナ装置を構成する導体に、前記アンテナ装置の開口部内で第１の追加導体部を接続することを特徴とするアンテナ装置である。
【発明の効果】
【００１４】
本発明によれば、複数の周波数帯に対応ししかも小型のアンテナ装置を提供できる。
【図面の簡単な説明】
【００１５】
【図１】本発明の第１の実施形態のアンテナを示す平面図である。
【図２】図１のアンテナのSRR部分を拡大した平面図である。
【図３】図１、２のアンテナのインピーダンス特性を示す図である。
【図４】図１、２のアンテナのリターンロス特性を示す図である。
【図５】図５（ａ）、（ｂ）、（ｃ）はそれぞれ図１、２のアンテナの周波数１、周波数２、周波数３におけるSRR上の電流の流れを模式的に示す図である。
【図６】本発明の第２の実施形態のアンテナを示す平面図である。
【図７】（ａ）、（ｂ）、（ｃ）はそれぞれ図６のアンテナの周波数１、周波数２、周波数３におけるSRR上の電流の流れを模式的に示す図である。
【図８】本発明の第３の実施形態のアンテナを示す平面図である。
【図９】図８のアンテナのインピーダンス特性を示す図である。
【図１０】図８のアンテナのリターンロス特性を示す図である。
【図１１】本発明の背景技術のSRRを有するアンテナの基本形態を示す平面図である。
【図１２】図１１のアンテナのSRR部分を拡大した平面図である。
【図１３】図１１、１２のアンテナの動作周波数における電流の流れを模式的に示す図である。
【図１４】図１１、１２のアンテナのインピーダンス特性を示す図である。
【図１５】図１１、１２のアンテナのリターンロス特性を示す図である。
【発明を実施するための形態】
【００１６】
（第１の実施形態）
（構成の説明）
図１は第１の実施形態のアンテナを示す平面図である。アンテナは、スプリットリング共振器1と、給電部2と、GND板3を有し、スプリット共振器1をGND板3の外周に接するように配置した構成となっている。図１１のアンテナとの相違は、スプリットリング共振器1の開口部11の中に第1の追加導体部4と第２の追加導体部5を追加している事である。
（動作の説明）
図２は図１のSRRアンテナのスプリットリング共振器1を拡大した図である。第2の導体14のスプリット部15側の先端に接続するように第1の追加導体41を配置し、開口部11の開口縁に接続し他端は第1の追加導体41と対向するように第2の追加導体42を配置している。第1の追加導体41と第2の追加導体42からそれぞれ伸びた導体が第1の追加スプリット部43を構成している。
【００１７】
さらに、第2の追加導体42の第1の追加スプリット部43側の先端に接続するように第3の追加導体51を配置し、開口部11の開口縁に接続し他端は第3の追加導体51と対向するように第4の追加導体52を配置している。第3の追加導体51と第4の追加導体52からそれぞれ伸びた導体が第2の追加スプリット部53を構成している。
【００１８】
図３に本実施形態のアンテナのインピーダンス特性を示す。この図３から、周波数１、周波数２、周波数３においてインピーダンスの軌跡がスミスチャートの中心に最接近または中心を通る水平線と交差していることが分かる。
【００１９】
また図４に本実施形態のアンテナのリターンロス特性を示す。この図から、図３のインピーダンス特性で示した周波数１、周波数２、周波数３でリターンロス-5dB以下の谷の部分になっていることから、周波数１、周波数２、周波数３でアンテナとして動作していることが分かる。また、図３は図１１（背景技術）のSRRアンテナのリターンロス特性を示す図１５と同じ周波数範囲を示していることから、図１１のSRRアンテナに比べて多くの周波数で動作することになる。
【００２０】
図５（ａ）、（ｂ）、（ｃ）はそれぞれ前述の周波数１、周波数２、周波数３におけるスプリットリング共振器上の電流の流れを模式的に示している。これらの図から、各周波数における電流の経路が異なることがわかる。電流の経路が異なることで等価的に構成されるコイルのインダクタンスが変化し、また通過するスプリット部の数が変わることで等価的に構成されるコンデンサの容量が変化する。これによって、スプリットリング共振器に三種類の共振周波数が発生する。したがって、本実施形態に示すアンテナでは３つの異なる周波数で動作することになる。
【００２１】
なお第1の追加導体41と第2の追加導体42で構成されるSRR共振器の追加によって共振周波数２が発生する。また第3の追加導体51と第4の追加導体52で構成されるSRR共振器の追加によって共振周波数３が発生する。
【００２２】
また、図２の第1の追加スプリット部43および.第2の追加スプリット部53の長さやスプリットの間隔、を変えることで、これらのスプリット部によって等価的に構成されコンデンサの容量が変化し、周波数２、周波数３を変化させることができる。
（効果）
以上説明したように、SRRアンテナの開口部の中に第１の追加導体部4と第２の追加導体部5を追加することで、アンテナサイズを大型化することなくアンテナの動作周波数を増やすことができる。
（第２の実施形態）
図６に第２の実施形態を示す。図６は本実施形態におけるSRRアンテナのスプリットリング共振器部分を拡大した図である。第1の実施形態（図１）との相違は第1の追加導体41を第2の導体14の先端ではなく中間部に接続し、第1の追加導体41と対向するように第2の追加導体42の位置を移動している点である。さらに、第3の追加導体51を第2の追加導体42の先端ではなく中間部に接続し、第3の追加導体51と対向するように第4の追加導体52の位置を移動している点である。このような構成でも第1の実施形態と同様の効果が得られる。図７（ａ）、（ｂ）、（ｃ）にそれぞれ本実施形態の周波数１、２、３の電流の流れを模式的に示す。
（第３の実施形態）
第１の実施形態では第1の追加導体41はスプリット部13の先端に接続し、第3の追加導体42も第1の追加スプリット部43の先端に接続している。また第２の実施形態では第1の追加導体41を第2の導体14の途中に接続し、第3の追加導体51を第2の追加導体42の途中に接続している。
【００２３】
本第３の実施形態はこの両者を折衷したものである。つまり第1の追加導体41はスプリット部13の先端に接続し、第3の追加導体51は第2の追加導体42の途中に接続している。このような構成でも同様の効果が得られる。
（第４の実施形態）
第１〜第３の実施形態では、第１、第２の追加導体部を設けた場合を述べた。しかし第１の追加導体部4だけを追加してもよい。図８にその例を示す。給電部2、給電導体12、第１の導体13，第２の導体14は第１、第２の実施形態と同様である。本実施形態ではそれに第1の追加導体41及び第2の追加導体42だけを追加しており、第3、第4の追加導体51,52は追加していない。
【００２４】
図８には周波数２の電流の流れも太い矢印で示している。図９は本実施形態のアンテナのインピーダンス特性を示す。元々の周波数１に加えて周波数２が追加されている。図１０はリターンロス特性であり、この図からも周波数２が追加されていることが分かる。
（第５の実施形態）
第１〜第４の実施形態では、スプリット部は、第1、第2の導体の先端、第1の追加導体と第2の追加導体の先端、及び、第3の追加導体と第4の追加導体の先端を曲げて対向させて形成していた。しかし必ずしも先端を曲げる必要はなく、スプリット部が形成された導体を追加すれば動作周波数を増加させることができる。
（第６の実施形態）
第１〜第５の実施形態では、基板層は一層である。しかし本発明は多層基板にも適用できる。具体的には、誘電体基板を挟んだ上下の導体層に同形状のスプリットリングを形成し、層間を導体ビアで接続してアンテナを構成する。
【符号の説明】
【００２５】
1    スプリットリング共振器
2    給電部
3    GND板
4    第１の追加導体部
5    第２の追加導体部
11    開口部
12    給電導体
13    第1の導体
14    第2の導体
15    スプリット部
41    第1の追加導体
42    第2の追加導体
43    第1の追加スプリット部
51    第3の追加導体
52    第4の追加導体
53    第2の追加スプリット部
【図１】
2016063239.tif 000003
【図２】
2016063239.tif 000004
【図３】
2016063239.tif 000005
【図４】
2016063239.tif 000006
【図５】
2016063239.tif 000007
【図６】
2016063239.tif 000008
【図７】
2016063239.tif 000009
【図８】
2016063239.tif 000010
【図９】
2016063239.tif 000011
【図１０】
2016063239.tif 000012
【図１１】
2016063239.tif 000013
【図１２】
2016063239.tif 000014
【図１３】
2016063239.tif 000015
【図１４】
2016063239.tif 000016
【図１５】
2016063239.tif 000017